(57)【要約】【課題】自動二輪車の後部タイヤを持ち上げ、横方向に移動させることで、自動二輪車の取り回しを補助する補助器具の機能をＵ字ロックなど、車体に脱着できる製品と組み合わせることで自動二輪車に組み付ける事が可能になる。これにより、補助器具を出かけ先に持ち出す事が可能な構造を提供する。【解決手段】Ｕ字ロックを構成する棒状部品とＵ字状部品のうち、棒状部品に、タイヤを持ち上げるための支柱と持ち上げた車体を移動させる車輪を組み付けることで、とりまわしを補助する機能を追加し、同時に、Ｕ字ロックの脱着機能を使い、自動二輪車に組み付ける事により、出かけ先に持ち出すことも可能とする。【選択図】図１
2012158314.tif 000002
【特許請求の範囲】
【請求項１】
てこの第一原理によって重量のある自動二輪車の後部を持ち上げ、その状態のまま荷重を支えている支点部に取り付けられた車輪等で移動させることで、自動二輪車のとりまわしを補助する機能を持ち、なおかつ、Ｕ字ロック等の施錠の機構により脱着する機能を備え、不使用時には自動二輪車の荷台等の部位に取り付けることで出かけ先に持ち出すことのできる特徴をもつ補助器具。
【発明の詳細な説明】
【技術分野】
【０００１】本発明は、自動二輪車のとりまわしを補助する補助器具に関する。
【背景技術】
【０００２】本発明は自動二輪車用の器具にとりまわしを補助する機能をつけることで問題の解決をはかる。この発明はＵ字ロック等にとりまわしを補助する機能を組み合わせることで、出かけ先にも持ち出せる構造を提供する。
【従来の技術１】
【０００３】自動二輪車の防犯装置としてＵ字ロックまたはＵ字形錠とよばれる錠前がある。これはＵ字状の掛け金と施錠機構やキーシリンダーを含む棒状部品で構成されており、Ｕ字状の掛け金の両端を棒状部品の穴にとりつけ、鍵等の施錠機構によって装着・取り外しができる。このＵ字状の掛け金部分をタイヤのホイール部に通し、棒状部品を鍵などの施錠により装着することでロックし、盗難を予防する防犯装置であり、また、不使用時には荷台などに組み付ける事によって出かけ先に持ち出せる。
【従来の技術２】
【０００４】補助器具Ａは名の通り、Ａ状の形態をしており、各、支点１０、力点１１、作用点９に当たる部位のうち、支点１０に車輪の役割をはたすボールベアリング１２を装着されている（図４）。そのうちの作用点９をタイヤ（後輪）１７の下部に設置し、力点１１に体重をかけ、てこの原理（第１種てこの原理）を応用して自動二輪車１３の後輪１７を持ち上げ、その状態のまま、横方向に移動させることで、車両のとりまわしを補助する（図５）。
【０００５】この自動二輪車のとりまわしを補助する器具はすでに自動二輪専用の整備工場等で運用されているが、一般にはあまり使われていない。特に名称もなく、形状からＡと呼ばれているため、以降、補助器具Ａと表記する（図４）。
【発明の概要】
【発明が解決しようとする課題】
【０００６】自動二輪車（オートバイ）の中でも、中型〜大型の自動二輪車は人力で持ち上げるのが困難な重量であるため、静止状態での細かな位置決めが難しく、とりまわしに手間がかかる。特に狭い場所での方向転換や駐車はハンドルの切り返し範囲が小さいせいもあり、方向や駐車位置を正確に定めるには、何度もハンドルを切り返し、こまめに前進と後退を繰り返して、車体の位置を少しずつ変えなければならないため、手間と労力を要する。【０００７】それを容易にする補助器具Ａ（図４）は以前より存在しているが、形状と何よりも大きなサイズのため、貨物スペースに余裕のない自動二輪の車体では積み込む事が難しく、出かけ先に持ち出すことができないという欠点がある。本発明は車体の後部を左右に動かすことにより、位置決めを容易にする補助器具Ａと同等の機能を外出先でも扱える構造を提供する。
【課題を解決するための手段】
【０００８】本発明は、自動二輪に組み付ける事のできる機能を有する製品のうち、適したサイズのＵ字ロックをベースに補助器具Ａ（図４）の機能を追加する。Ｕ字ロックの棒状部品３にタイヤを持ち上げるための支柱１と、ボールベアリングやタイヤなど、車輪として機能する部品４を取り付ける。これにより、本発明は補助器具Ａ（図２）とＵ字ロックの機能を同時に有した特長をもつ（図３）。
【発明を実施するための形態】
【０００９】以下、各部位を詳細に説明する。
【００１０】部品１はタイヤ支柱である。てこの原理でいえば作用点９を含む。頑強な２本の棒状の素材で構成され、棒状部品３に取り付けられる。タイヤ（後輪）１７下部に差し込み、もちあげるため、自動二輪車１３の重量によって変形・たわみが発生しない程度の頑丈さを要する。対象が特定のサイズのタイヤなら平行にとりつけてもいいが、外側に向かってやや開き気味のハの字状につけた方がタイヤ（後輪）１７のサイズの変化に対応できる。
【００１１】部品２はストップバーである。部品１に装着される。部品１が自動二輪車１３の重量でたわみや変形がおき、部品４に接触すると、部品４はブレーキをかけられたように機能を阻害される。そのたわみや変形を防ぐ部品である。また、部品４の位置が部品１の内側にあった場合（図６のｙ５）、接触したタイヤ（後輪）１７が部品４に干渉し、その機能を阻害するのを防ぐ。尚、部品１が自動二輪車１３の重量で変形等しない場合やタイヤ（後輪）１７が接触する心配がない場合、設置する必要はない。
【００１２】部品３はＵ字ロックでは棒状部品に相当する。Ｕ字ロックと同等の機能がある場合、施錠機構と掛け金５を装着するための穴８、そしてキーシリンダー等を含む。また、てこの原理としては支点１０を含み、部品１と部品４がついている。
【００１３】部品４は支点１０に取り付けられている車輪の役割を果たす部品である。
ボールベアリングやタイヤ等であり、支点１０にかかる自動二輪車１３の荷重を支え、移動させる役割を持つため、荷重によって破損しない程度の頑丈さを要する。
【００１４】部品５はＵ字ロックで言えばＵ字状部品である掛け金の役割を果たす。
部品３の穴８に装着することにより機能を発揮する。装着部分の反対側に力点１１を含み、その位置に部品６と部品７を含む。また、支点１０から力点１１までの長さは部品１がタイヤ（後輪）１７と接触する作用点９から支点１０までの長さの少なくとも３倍以上の長さが必要。それ以下の長さだと補助器具Ａとしての機能を発揮させるのは難しくなる。なお、この部品の形状はＵ字に限定されない（図６のｙ６及びｙ７）。
【００１５】部品６は補助輪の機能を有する。てこの原理では力点１１を含む。タイヤ（後輪）１７の下にセットし、足１８で体重をかけることにより自動二輪車１３を持ち上げる。その際、この部分が地面と接触してもタイヤ・ボールベアリング・キャスター・そり状部品等で移動を阻害しないように補助する。また、この部分が地面と接触した際はタイヤ（後輪）１７が地面から離れていなければならない。
【００１６】部品７は補助輪カバーを有する。力点１１に体重をかける際、部品６の補助輪の機能を阻害しないようにカバーする。また、本発明品ｙ４をタイヤ（後輪）１７の下部にセットする際、この部品に足をかけることで本発明品の設置が容易になる。
【発明の効果】
【実施例１】
【００１７】走行時にはＵ字ロックの脱着機能を用い、車体の一部や荷台２３等（図８の２３）に組み付ける形で出かけ先への持ち出しが可能になる（図８のｙ３）。
【実施例２】
【００１８】そのため、出かけ先で駐車の際に、車体のとりまわしや位置決めの補助に使用する事ができるようになる（図８のｙ４）。
【実施例３】
【００１９】そして、Ｕ字ロック同様、施錠が可能な場合、駐車中にはタイヤ（前輪）１９等に施錠し、防犯効果を期待できる（図７のｙ２）。【００２０】また、従来のＵ字ロックと比べサイズが大きくなりがちなので、固定物に装着しやすく、より高い防犯性が期待できる。
【図面の簡単な説明】
【００２１】
【図１】本発明の斜視図
【図２】本発明の横断面図と正面図
【図３】本発明の部品５の脱着を背面から見た図
【図４】補助器具Ａの側面図と正面図
【図５】補助器具Ａの使用法解説図
【図６】本発明の掛け金の形状及び部品４の配置の別パターンを背面から見た図
【図７】本発明の実施例３の図
【図８】本発明の実施例１及び２の図
【符号の説明】
【００２２】ｙ…本発明品、ｙ１…従来の形態である本発明品１、ｙ２…施錠に使われている本発明品、ｙ３…持ち運ぶ際の本発明品、ｙ４…補助に使われている本発明品、ｙ５…部品４が部品５の内側に配置されている本発明品、ｙ６…部品５がＶ字状である本発明品、ｙ７…部品５が角型である本発明品、Ａ…補助器具Ａ、１…タイヤ支柱、２…ストップバー、３…棒状部品、４…ボールベアリング、タイヤ、車輪等、５…掛け金、６…タイヤ、ボールベアリング、キャスター等、７…補助輪カバー、８…穴、９…部品１とタイヤ（後輪）１７が接触する作用点、１０…支点、１１…力点、１２…ボールベアリング、１３…自動二輪車後部、１７…タイヤ（後輪）、１８…使用者（足）、１９…タイヤ（前輪）、２３…自動二輪車の荷台。
【図１】
2012158314.tif 000003
【図２】
2012158314.tif 000004
【図３】
2012158314.tif 000005
【図４】
2012158314.tif 000006
【図５】
2012158314.tif 000007
【図６】
2012158314.tif 000008
【図７】
2012158314.tif 000009
【図８】
2012158314.tif 000010